(57)【要約】【課題】受話側のリモコン装置の周辺状況に関わらず、音を聞き取りやすくすることが可能なリモコン装置およびリモコンシステムを提供する。【解決手段】リモコン装置１は、リモコン装置１の周囲音を音信号に変換して出力するマイク１０と、本体装置を遠隔操作する他のリモコン装置１１へマイク１０から受けた音信号を送信し、かつ他のリモコン装置１１から送信された音信号を受信して出力する通信部２と、通信部２から受けた音信号に基づいて音を発するスピーカ９と、リモコン装置１の周辺状況に関する情報を取得し、取得した情報に基づいてスピーカ９の発する音量を制御する制御部８とを備える。【選択図】図１
2010159927.tif 000002
【特許請求の範囲】
【請求項１】
本体装置を遠隔操作するリモコン装置であって、
前記リモコン装置の周囲音を音信号に変換して出力するマイクと、
前記本体装置を遠隔操作する他のリモコン装置へ前記マイクから受けた前記音信号を送信し、かつ前記他のリモコン装置から送信された前記音信号を受信して出力する通信部と、
前記通信部から受けた音信号に基づいて音を発するスピーカと、
前記リモコン装置の周辺状況に関する情報を取得し、前記取得した情報に基づいて前記スピーカの発する音量を制御する制御部とを備えるリモコン装置。
【請求項２】
前記リモコン装置は、さらに、
前記リモコン装置の周辺における人の有無を検知する人感センサを備え、
前記制御部は、前記人感センサの検知結果に基づいて前記スピーカの発する音量を制御する請求項１に記載のリモコン装置。
【請求項３】
前記リモコン装置は、さらに、
前記マイクからの音信号が示す入力音レベルと前記スピーカへの音信号が示す出力音レベルとを比較する比較部を備え、
前記制御部は、前記人感センサの検知結果および前記比較部の比較結果に基づいて前記スピーカの発する音量を制御する請求項２に記載のリモコン装置。
【請求項４】
前記リモコン装置は、さらに、
前記マイクからの音信号が示す入力音レベルと前記スピーカへの音信号が示す出力音レベルとを比較する比較部を備え、
前記制御部は、前記比較部の比較結果に基づいて前記スピーカの発する音量を制御する請求項１に記載のリモコン装置。
【請求項５】
前記リモコン装置は、浴室内または浴室外に配置され、給湯機を遠隔操作する請求項１に記載のリモコン装置。
【請求項６】
本体装置と、
前記本体装置を遠隔操作する複数のリモコン装置とを備え、
前記リモコン装置は、
前記リモコン装置の周囲音を音信号に変換して出力するマイクと、
前記本体装置を遠隔操作する他のリモコン装置へ前記マイクから受けた前記音信号を送信し、かつ前記他のリモコン装置から送信された前記音信号を受信して出力する通信部と、
前記通信部から受けた音信号に基づいて音を発するスピーカと、
自己の前記リモコン装置の周辺状況に基づいて前記スピーカの発する音量を制御する制御部とを含むリモコンシステム。
【発明の詳細な説明】
【技術分野】
【０００１】
本発明は、リモコン装置およびリモコンシステムに関し、特に、インターホン機能を有するリモコン装置およびリモコンシステムに関する。
【背景技術】
【０００２】
給湯機のリモコン装置は、たとえば、浴室内外のリモコン間におけるインターホン機能を有している。このようなリモコン装置の一例として、たとえば、特許文献１には、以下のような給湯機リモコンが開示されている。すなわち、ふろリモコンのマイク回路に自動増幅率制御回路を設けることによって、ふろリモコンのマイクへ入力される音が小さい場合は、マイク入力信号の増幅率を大きくし、台所リモコンで聞く音を適度に大きくできる。また、ふろリモコンのマイクへ入力される音が大きい場合は、マイク入力信号の増幅率を小さくし、台所リモコンで聞く音を適度に小さくできる。
【先行技術文献】
【特許文献】
【０００３】
【特許文献１】特開２００７−２７８５９８号公報
【発明の概要】
【発明が解決しようとする課題】
【０００４】
ところで、給湯機用リモコンに搭載されているインターホン機能において、生活騒音、たとえばテレビ視聴などによって音声が聞き取りにくいという不具合が発生している。
【０００５】
しかしながら、特許文献１記載の給湯機リモコン等の従来のインターホン機能では、受話側のリモコンの周辺状況を判断せずに、ある一定の音量を発しているため、上記のような不具合を解消することができない。
【０００６】
本発明は、上述の課題を解決するためになされたもので、その目的は、受話側のリモコン装置の周辺状況に関わらず、音を聞き取りやすくすることが可能なリモコン装置およびリモコンシステムを提供することである。
【課題を解決するための手段】
【０００７】
上記課題を解決するために、この発明のある局面に係わるリモコン装置は、本体装置を遠隔操作するリモコン装置であって、リモコン装置の周囲音を音信号に変換して出力するマイクと、本体装置を遠隔操作する他のリモコン装置へマイクから受けた音信号を送信し、かつ他のリモコン装置から送信された音信号を受信して出力する通信部と、通信部から受けた音信号に基づいて音を発するスピーカと、リモコン装置の周辺状況に関する情報を取得し、取得した情報に基づいてスピーカの発する音量を制御する制御部とを備える。
【０００８】
上記課題を解決するために、この発明のある局面に係わるリモコンシステムは、本体装置と、本体装置を遠隔操作する複数のリモコン装置とを備え、リモコン装置は、リモコン装置の周囲音を音信号に変換して出力するマイクと、本体装置を遠隔操作する他のリモコン装置へマイクから受けた音信号を送信し、かつ他のリモコン装置から送信された音信号を受信して出力する通信部と、通信部から受けた音信号に基づいて音を発するスピーカと、自己のリモコン装置の周辺状況に基づいてスピーカの発する音量を制御する制御部とを含む。
【発明の効果】
【０００９】
本発明によれば、受話側のリモコン装置の周辺状況に関わらず、音を聞き取りやすくすることができる。
【図面の簡単な説明】
【００１０】
【図１】本発明の第１の実施の形態に係るリモコンシステムの構成を示す図である。
【図２】本発明の第１の実施の形態に係る浴室リモコンおよび台所リモコンにおけるマイコンが音量調節を行なう際の動作手順を定めたフローチャートである。
【図３】本発明の第２の実施の形態に係るリモコンシステムの構成を示す図である。
【図４】本発明の第２の実施の形態に係る浴室リモコンおよび台所リモコンにおけるマイコンが音量調節を行なう際の動作手順を定めたフローチャートである。
【図５】本発明の第３の実施の形態に係るリモコンシステムの構成を示す図である。
【発明を実施するための形態】
【００１１】
以下、本発明の実施の形態について図面を用いて説明する。なお、図中同一または相当部分には同一符号を付してその説明は繰り返さない。
【００１２】
＜第１の実施の形態＞
［構成および基本動作］
図１は、本発明の第１の実施の形態に係るリモコンシステムの構成を示す図である。
【００１３】
図１を参照して、リモコンシステム１０１は、浴室リモコン１と、台所リモコン１１と、給湯機３０とを備える。浴室リモコン１は、通信部２と、人感センサ６と、通話スイッチ７と、マイコン（制御部）８と、スピーカ回路２１と、マイク回路２２とを含む。スピーカ回路２１は、増幅制御回路３と、スピーカ９とを含む。マイク回路２２は、増幅回路５と、マイク１０とを含む。
【００１４】
台所リモコン１１は、通信部１２と、人感センサ１６と、通話スイッチ１７と、マイコン（制御部）１８と、スピーカ回路２３と、マイク回路２４とを含む。スピーカ回路２３は、増幅回路１３と、スピーカ１９とを含む。マイク回路２４は、増幅回路１５と、マイク２０とを含む。
【００１５】
浴室用リモコン１では、マイク１０、増幅回路５、スピーカ９、増幅制御回路３および通信部２によってインターホン機能が構成されている。
【００１６】
通話スイッチ７は、ユーザからの操作を受け付ける。マイコン８は、ユーザによる通話スイッチ７の操作に基づいて、通信部２の起動および停止を行なう。
【００１７】
台所リモコン１１では、マイク２０、増幅回路１５、スピーカ１９、増幅制御回路１３および通信部１２によってインターホン機能が構成されている。
【００１８】
通話スイッチ１７は、ユーザからの操作を受け付ける。マイコン１８は、ユーザによる通話スイッチ１７の操作に基づいて、通信部１２の起動および停止を行なう。
【００１９】
給湯機３０は、浴室リモコン１および台所リモコン１１に接続されており、浴室リモコン１および台所リモコン１１によって遠隔操作される。
【００２０】
［動作］
次に、本発明の第１の実施の形態に係るリモコンシステムの動作について説明する。
【００２１】
図２は、本発明の第１の実施の形態に係る浴室リモコンおよび台所リモコンにおけるマイコンが音量調節を行なう際の動作手順を定めたフローチャートである。このマイコンは、フローチャートの各ステップを備えるプログラムを図示しないメモリから読み出して実行する。このプログラムは、外部からインストールすることができる。
【００２２】
浴室と台所との間で通話する場合、ユーザは、台所リモコン１１の通話スイッチ１７を操作するか、あるいは浴室リモコン１の通話スイッチ７を操作する。
【００２３】
まず、ユーザが台所リモコン１１の通話スイッチ１７を操作した場合について説明する。この場合、マイコン１８は、通話スイッチ１７からの操作入力信号を受けて通信部１２を起動する。通信部１２は、浴室リモコン１へ通話要求信号を送信する。
【００２４】
浴室リモコン１において、通信部２は、通信部１２からの通話要求信号を受信し、マイコン８へ通話要求信号を出力する。マイコン８は、通話要求信号を受けて通信部２を起動させる。マイク１０は、浴室リモコン１の周囲音を音信号に変換して増幅回路５へ出力する。増幅回路５は、マイク１０が拾った浴室内の音を示す音信号を増幅して通信部２へ出力する。通信部２は、音信号を台所リモコン１１へ送信する。
【００２５】
台所リモコン１１において、通信部１２は、浴室リモコン１からの音信号を受信し（ステップＳ１）、増幅制御回路１３へ出力する。
【００２６】
人感センサ１６は、台所リモコン１１の周囲に人がいるかどうかを検知する（ステップＳ２）。マイコン１８は、人感センサ１６の検知結果に基づいて増幅制御回路１３へ制御信号を出力する。増幅制御回路１３は、マイコン１８から受けた制御信号に基づいて、通信部１２から受けた音信号の増幅率を変更する（ステップＳ３）。より詳細には、増幅制御回路１３は、台所リモコン１１の周囲に人がいる場合には増幅率を小さくし、台所リモコン１１の周囲に人がいない場合には増幅率を大きくする。これにより、スピーカ１９の発する音量が制御される。
【００２７】
増幅制御回路１３は、通信部１２から受けた音信号を増幅してスピーカ１９へ出力する。スピーカ１９は、増幅制御回路１３から受けた音信号に基づいて音を発する（ステップＳ４）。これにより、台所リモコン１１を用いて浴室側と通話することができる。
【００２８】
次に、ユーザが浴室リモコン１の通話スイッチ７を操作した場合について説明する。この場合、マイコン８は、通話スイッチ７からの操作入力信号を受けて通信部２を起動する。通信部２は、台所リモコン１１へ通話要求信号を送信する。
【００２９】
台所リモコン１１において、通信部１２は、通信部２からの通話要求信号を受信し、マイコン１８へ通話要求信号を出力する。マイコン１８は、通話要求信号を受けて通信部１２を起動させる。マイク２０は、台所リモコン１１の周囲音を音信号に変換して増幅回路１５へ出力する。増幅回路１５は、マイク２０が拾った台所周辺の音を示す音信号を増幅して通信部１２へ出力する。通信部１２は、音信号を浴室リモコン１へ送信する。
【００３０】
浴室リモコン１において、通信部２は、台所リモコン１１からの音信号を受信し（ステップＳ１）、増幅制御回路３へ出力する。
【００３１】
人感センサ６は、浴室リモコン１の周囲に人がいるかどうかを検知する（ステップＳ２）。マイコン８は、人感センサ６の検知結果に基づいて増幅制御回路３へ制御信号を出力する。増幅制御回路３は、マイコン８から受けた制御信号に基づいて、通信部２から受けた音信号の増幅率を変更する（ステップＳ３）。より詳細には、増幅制御回路３は、浴室リモコン１の周囲に人がいる場合には増幅率を小さくし、浴室リモコン１の周囲に人がいない場合には増幅率を大きくする。これにより、スピーカ９の発する音量が制御される。
【００３２】
増幅制御回路３は、通信部２から受けた音信号を増幅してスピーカ９へ出力する。スピーカ９は、増幅制御回路３から受けた音信号に基づいて音を発する（ステップＳ４）。これにより、浴室リモコン１を用いて台所側と通話することができる。
【００３３】
以上のように、本発明の第１の実施の形態に係るリモコンシステムでは、人感センサ６および１６を設けることにより、受話側リモコン周辺における人の有無を検知して、出力する音量を調節することができる。これにより、リモコンからユーザが離れている場合でも、受話側のスピーカから出力される音声を最適な音量に調節し、聞き取りやすい音声を出力できる。すなわち、音声が聞き取りにくいという問題点を解決することができる。
【００３４】
なお、本発明の第１の実施の形態に係るリモコンシステムでは、マイコン８および１８は、それぞれ、人感センサ６および１６の検知結果に基づいてスピーカ９および１９の発する音量を制御する構成であるとしたが、人感センサに限らず、他の手段によって自己のリモコンの周辺状況に関する情報を取得し、取得した情報に基づいてスピーカの発する音量を制御する構成であってもよい。
【００３５】
次に、本発明の他の実施の形態について図面を用いて説明する。なお、図中同一または相当部分には同一符号を付してその説明は繰り返さない。
【００３６】
＜第２の実施の形態＞
本実施の形態は、第１の実施の形態に係るリモコンシステムと比べて生活騒音レベルを把握する機能を追加したリモコンシステムに関する。以下で説明する内容以外は第１の実施の形態に係るリモコンシステムと同様である。
【００３７】
図３は、本発明の第２の実施の形態に係るリモコンシステムの構成を示す図である。
図３を参照して、リモコンシステム１０２は、浴室リモコン５１と、台所リモコン６１と、給湯機３０とを備える。浴室リモコン５１は、通信部２と、比較器４と、人感センサ６と、通話スイッチ７と、マイコン８と、スピーカ回路２１と、マイク回路２２とを含む。スピーカ回路２１は、増幅制御回路３と、スピーカ９とを含む。マイク回路２２は、増幅回路５と、マイク１０とを含む。
【００３８】
台所リモコン６１は、通信部１２と、比較器１４と、人感センサ１６と、通話スイッチ１７と、マイコン１８と、スピーカ回路２３と、マイク回路２４とを含む。スピーカ回路２３は、増幅回路１３と、スピーカ１９とを含む。マイク回路２４は、増幅回路１５と、マイク２０とを含む。
【００３９】
図４は、本発明の第２の実施の形態に係る浴室リモコンおよび台所リモコンにおけるマイコンが音量調節を行なう際の動作手順を定めたフローチャートである。このマイコンは、フローチャートの各ステップを備えるプログラムを図示しないメモリから読み出して実行する。このプログラムは、外部からインストールすることができる。図４に示すステップＳ１１，Ｓ１２，Ｓ１５は図２に示すステップＳ１，Ｓ２，Ｓ４と同様であるため、ここでは詳細な説明を繰り返さない。
【００４０】
浴室リモコン５１において、比較器４は、マイク回路２２からの音信号が示す入力音レベルとスピーカ回路２１への音信号が示す出力音レベルとを比較する（ステップＳ１３）。マイコン８は、人感センサ６の検知結果および比較器４の比較結果に基づいて、スピーカ９の発する音量を制御する。すなわち、マイコン８は、人感センサ６の検知結果および比較器４の比較結果に基づいて増幅制御回路３へ制御信号を出力する。増幅制御回路３は、マイコン８から受けた制御信号に基づいて、通信部２から受けた音信号の増幅率を変更する（ステップＳ１４）。より詳細には、増幅制御回路３は、浴室リモコン５１の周囲に人がいる場合には増幅率を小さくし、浴室リモコン５１の周囲に人がいない場合には増幅率を大きくする。また、増幅制御回路３は、入力音レベルよりも出力音レベルの方が大きい場合には増幅率を小さくし、入力音レベルよりも出力音レベルの方が小さい場合には増幅率を大きくする。これにより、スピーカ９の発する音量が制御される。
【００４１】
台所リモコン６１において、比較器１４は、マイク回路２４からの音信号が示す入力音レベルとスピーカ回路２３への音信号が示す出力音レベルとを比較する（ステップＳ１３）。マイコン１８は、人感センサ１６の検知結果および比較器１４の比較結果に基づいて、スピーカ１９の発する音量を制御する。すなわち、マイコン１８は、人感センサ１６の検知結果および比較器１４の比較結果に基づいて増幅制御回路１３へ制御信号を出力する。増幅制御回路１３は、マイコン１８から受けた制御信号に基づいて、通信部１２から受けた音信号の増幅率を変更する（ステップＳ１４）。より詳細には、増幅制御回路１３は、台所リモコン６１の周囲に人がいる場合には増幅率を小さくし、台所リモコン６１の周囲に人がいない場合には増幅率を大きくする。また、増幅制御回路１３は、入力音レベルよりも出力音レベルの方が大きい場合には増幅率を小さくし、入力音レベルよりも出力音レベルの方が小さい場合には増幅率を大きくする。これにより、スピーカ１９の発する音量が制御される。
【００４２】
その他の構成および動作は第１の実施の形態に係るリモコンシステムと同様であるため、ここでは詳細な説明を繰り返さない。
【００４３】
以上のように、本発明の第２の実施の形態に係るリモコンシステムでは、比較器４および１４を設けることにより、受話側リモコン周辺の生活騒音量とマイク１０および２０から出力される音量とを比較して、出力する音量を調節することができる。これにより、リモコンからユーザが離れている場合および生活騒音が大きい場合の両方において、受話側のスピーカから出力される音声を最適な音量に調節し、聞き取りやすい音声を出力できる。すなわち、音声が聞き取りにくいという問題点を解決することができる。
【００４４】
次に、本発明の他の実施の形態について図面を用いて説明する。なお、図中同一または相当部分には同一符号を付してその説明は繰り返さない。
【００４５】
＜第３の実施の形態＞
本実施の形態は、第２の実施の形態に係るリモコンシステムと比べて人感センサを備えない構成としたリモコンシステムに関する。以下で説明する内容以外は第２の実施の形態に係るリモコンシステムと同様である。
【００４６】
図５は、本発明の第３の実施の形態に係るリモコンシステムの構成を示す図である。
図５を参照して、リモコンシステム１０３は、浴室リモコン５２と、台所リモコン６２と、給湯機３０とを備える。浴室リモコン５２は、通信部２と、比較器４と、通話スイッチ７と、マイコン８と、スピーカ回路２１と、マイク回路２２とを含む。スピーカ回路２１は、増幅制御回路３と、スピーカ９とを含む。マイク回路２２は、増幅回路５と、マイク１０とを含む。
【００４７】
台所リモコン６２は、通信部１２と、比較器１４と、通話スイッチ１７と、マイコン１８と、スピーカ回路２３と、マイク回路２４とを含む。スピーカ回路２３は、増幅回路１３と、スピーカ１９とを含む。マイク回路２４は、増幅回路１５と、マイク２０とを含む。
【００４８】
本発明の第３の実施の形態に係るリモコンシステムでは、本発明の第２の実施の形態に係るリモコンシステムとは異なり、浴室リモコン５２および６２が人感センサを備えない。このような構成であっても、比較器４および１４を設けることにより、受話側リモコン周辺の生活騒音量とマイク１０および２０から出力される音量とを比較して、出力する音量を調節することができる。これにより、生活騒音が大きい場合でも、受話側のスピーカから出力される音声を最適な音量に調節し、聞き取りやすい音声を出力できる。すなわち、音声が聞き取りにくいという問題点を解決することができる。
【００４９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５０】
１  浴室リモコン、２  通信部、３  増幅制御回路、４  比較器、５  増幅回路、６  人感センサ、７  通話スイッチ、８  マイコン（制御部）、９  スピーカ、１０  マイク、１１  台所リモコン、１２  通信部、１３  増幅回路、１４  比較器、１５  増幅回路、１６  人感センサ、１７  通話スイッチ、１８  マイコン（制御部）、１９  スピーカ、２０  マイク、２１  スピーカ回路、２２  マイク回路、２３  スピーカ回路、２４  マイク回路、３０  給湯機、５１  浴室リモコン、６１  台所リモコン、５２  浴室リモコン、６２  台所リモコン、１０１〜１０３  リモコンシステム。
【図１】
2010159927.tif 000003
【図２】
2010159927.tif 000004
【図３】
2010159927.tif 000005
【図４】
2010159927.tif 000006
【図５】
2010159927.tif 000007